(57)【要約】細長い筒状のシース（２）と、該シース（２）内に長手軸方向に進退可能に配置され、高周波電流が供給される直棒状の電極部材（３）と、シース（２）の先端に配置され、電極部材（３）を貫通させる貫通孔（６ａ）を有する先端部材（６）と、シース（２）の基端側に接続される送液手段（５）とを備え、電極部材（３）が、この先端に設けられ径方向外方に放射状に延びる電極先端部（３ｂ）と、先端部材（６）よりも基端側に配置される略回転体形状のストッパ部（７）とを備え、先端部材（６）は、電極部材（３）が最大限に先端側に移動させられたときに、ストッパ部（７）を長手軸方向に突き当てる、先端に向かって先細になるテーパ内面（６ｂ）を備え、該テーパ内面（６ｂ）またはストッパ部（７）のいずれかに、相互に突き当たった状態で、液体を流通させることができる流路（２ａ）を構成する凹部（９）が設けられている高周波処置具（１）を提供する。
2016203978.tif 000002
【特許請求の範囲】
【請求項１】
体内に挿入される細長い筒状のシースと、
該シース内に長手軸方向に進退可能に配置され、高周波電流が供給される直棒状の電極部材と、
前記シースの先端に配置され、前記電極部材を貫通させる貫通孔を有する先端部材と、
前記シースの基端側に接続され、該シースに形成された流路および該流路に連絡する前記貫通孔と前記電極部材との隙間を介して前記シースの長手軸方向前方に液体を放出させる送液手段とを備え、
前記電極部材が、該電極部材の先端に設けられ径方向外方に放射状に延びる電極先端部と、前記先端部材よりも基端側に配置され前記電極部材の中心軸を中心とする略回転体形状のストッパ部とを備え、
前記先端部材は、前記電極部材が最大限に先端側に移動させられたときに、前記ストッパ部を前記長手軸方向に突き当てる、先端に向かって先細になるテーパ内面を備え、
該テーパ内面または前記ストッパ部のいずれかに、相互に突き当たった状態で、前記液体を流通させることができる流路を構成する凹部が設けられ、
前記電極先端部が周方向の少なくとも一部に径方向に窪む小径部を備え、
前記凹部が前記小径部と同一の周方向位置に設けられている高周波処置具。
【請求項２】
前記ストッパ部が、前記テーパ内面と面接触させられるテーパ面を備える請求項１に記載の高周波処置具。
【請求項３】
前記貫通孔の先端開口の前記長手軸方向の投影形状が円形であり、前記電極先端部の前記長手軸方向の投影形状が前記先端開口の口径より大きな外接円と前記口径より小さな内接円とを有する非円形である請求項１または請求項２に記載の高周波処置具。
【請求項４】
前記ストッパ部に前記凹部が形成されている請求項１から請求項３のいずれか一項に記載の高周波処置具。
【請求項５】
前記小径部が、周方向に等間隔をあけて複数設けられ、
前記凹部が、各前記小径部に対応する位置に設けられている請求項１から請求項４のいずれか一項に記載の高周波処置具。
【発明の詳細な説明】
【技術分野】
【０００１】
本発明は、高周波処置具に関する。
【背景技術】
【０００２】
従来、高周波電流を通電して粘膜等の生体組織を処置する高周波処置具が知られている（例えば、特許文献１参照。）。
この高周波処置具は、シースの先端に設けられた電気絶縁性のキャップ部材の貫通孔に、軸方向に進退可能に棒状電極部を挿入配置し、シース内を送液されてきた液体をキャップ部材の送液開口を介して前方に放出することができる構造を有している。【０００３】
棒状電極部の先端には放射状に拡がる先端部が設けられているため、キャップ部材の正面視において送液開口の少なくとも一部が先端部の外側に露呈するように形成することで、送液開口から放出される液体が棒状電極部の先端部の裏側で遮られることを防止している。そして、特許文献１の高周波処置具では、送液開口は、棒状電極部に近接して支持する小径部分と、先端部の外側に露呈する大径部分とを有する非円形に構成されている。
【先行技術文献】
【特許文献】
【０００４】
【特許文献１】特開２０１２−７０７９３号公報
【発明の概要】
【発明が解決しようとする課題】
【０００５】
しかしながら、キャップ部材は極めて小さく精密な加工が必要とされる部品であるため、非円形の送液開口を精密に形成することは容易ではない。逆に、送液開口を加工容易な円形等の単純な形状に形成する場合には、液体を真っ直ぐ前方に放出するために、平面視で先端部の外側に露呈するように口径を大きくする必要があるが、このようにすると棒状電極部を前方に突出させた状態での支持が失われ、棒状電極部と送液開口の中心軸とが合いにくくなるという不都合がある。【０００６】
本発明は、上述した事情に鑑みてなされたものであって、円滑な送液と電極の安定的な支持を両立し得る製造容易な高周波処置具を提供することを目的としている。
【課題を解決するための手段】
【０００７】
上記目的を達成するために、本発明は以下の手段を提供する。
本発明の一態様は、体内に挿入される細長い筒状のシースと、該シース内に長手軸方向に進退可能に配置され、高周波電流が供給される直棒状の電極部材と、前記シースの先端に配置され、前記電極部材を貫通させる貫通孔を有する先端部材と、前記シースの基端側に接続され、該シースに形成された流路および該流路に連絡する前記貫通孔と前記電極部材との隙間を介して前記シースの長手軸方向前方に液体を放出させる送液手段とを備え、前記電極部材が、該電極部材の先端に設けられ径方向外方に放射状に延びる電極先端部と、前記先端部材よりも基端側に配置され前記電極部材の中心軸を中心とする略回転体形状のストッパ部とを備え、前記先端部材は、前記電極部材が最大限に先端側に移動させられたときに、前記ストッパ部を前記長手軸方向に突き当てる、先端に向かって先細になるテーパ内面を備え、該テーパ内面または前記ストッパ部のいずれかに、相互に突き当たった状態で、前記液体を流通させることができる流路を構成する凹部が設けられ、前記電極先端部が周方向の少なくとも一部に径方向に窪む小径部を備え、前記凹部が前記小径部と同一の周方向位置に設けられている高周波処置具である。【０００８】
体内の組織の切断等の処置は、シースに対して電極部材を前進させて電極先端部の突出量を増大させ、電極部材に高周波電流を供給することにより行われる。組織の切断や剥離を行う際に、放射状の電極先端部を周辺組織に引っ掛けることにより、滑らずに安定して処置を行うことができる。【０００９】
この場合において、電極部材を前進させると、電極部材の基端側に設けられたストッパ部が、シースの先端に配置され電極部材を貫通孔に貫通させている先端部材のテーパ内面に突き当たり、それ以上の前進が制限される。そして、ストッパ部が略回転体形状に形成されていることにより、テーパ内面に突き当たる際に、電極部材を取り囲む各位置においてストッパ部がテーパ内面に同時に突き当たって、電極部材を貫通孔に対してセンタリングした状態に保持することができる。【００１０】
このとき、テーパ内面またはストッパ部のいずれかに設けられた凹部により、相互に突き当たったテーパ内面とストッパ部との間に流路が構成される。そして、処置を行っている部位において出血が生じた場合には、送液手段を作動させて、シースに形成された流路およびシースの先端に設けられた先端部材の貫通孔と電極部材との隙間を介してシースの長手軸方向前方に液体を放出させることにより、出血部位近傍に液体を放出して洗浄することができる。【００１１】
また、ストッパ部とテーパ内面が突き当たった状態で凹部によって形成される流路と電極先端部の小径部との位相を常に一致させた状態に保持し、電極先端部が貫通孔に対して長手軸回りに回転しても、流路から放出される液体を常に電極先端部の小径部を経由して真っ直ぐ前方に放出することができる。【００１２】
この場合においても、電極部材は、電極部材を取り囲む各位置においてテーパ内面とストッパ部を突き当てることによって強固に支持されているので、貫通孔との隙間を液体が流動しても電極先端部が振動しないように保持される。
すなわち、本態様によれば、貫通孔に電極部材を支持させるのではなく、先端部材に設けたテーパ内面と電極部材に設けたストッパ部との当接により、センタリングおよび強固な支持を行うので、貫通孔と電極部材との隙間を十分に大きく確保することができる。その結果、該隙間を経由して前方に放出される液体を、電極先端部に邪魔されることなく、かつ、電極部材を振動させることなく放出することができる。【００１３】
上記態様においては、前記ストッパ部が、前記テーパ内面と面接触させられるテーパ面を備えていてもよい。
このようにすることで、ストッパ部とテーパ内面との面接触により、電極部材を貫通孔にセンタリングした状態で、先端部材に、より強固に支持することができる。【００１４】
上記態様においては、前記貫通孔の先端開口の前記長手軸方向の投影形状が円形であり、前記電極先端部の前記長手軸方向の投影形状が前記先端開口の口径より大きな外接円と前記口径より小さな内接円とを有する非円形であってもよい。
このようにすることで、シースに対して電極部材を最大限に後退させると、円形からなる貫通孔の先端開口に対して、非円形からなる電極先端部の径方向に突出する部分が先端部材の先端面に突き当たって、それ以上の後退が制限される。また、円形からなる貫通孔の先端開口が、非円形からなる電極先端部の径方向に突出する部分においては、先端開口から放出される液体が電極先端部によって完全には遮られることなく真っ直ぐ前方に放出されやすくなる。【００１５】
上記態様においては、前記ストッパ部に前記凹部が形成されていてもよい。
このようにすることで、ストッパ部とテーパ内面が突き当たった状態で凹部によって形成される流路と電極先端部との位相を常に一定に保持し、電極先端部が貫通孔に対して長手軸回りに回転しても、流路が電極先端部によって変化することが防止される。【００１６】
上記態様においては、前記小径部が、周方向に等間隔をあけて複数設けられ、前記凹部が、各前記小径部に対応する位置に設けられていてもよい。
このようにすることで、凹部および小径部を経由して電極先端部の前方に真っ直ぐ放出される液体の流れを電極先端部の周方向に偏らせることなく、周方向に均等に分布させ、より真っ直ぐ前方に液体を放出することができる。
【発明の効果】
【００１７】
本発明によれば、円滑な送液と電極の安定的な支持を両立し、かつ容易に製造することができるという効果を奏する。
【図面の簡単な説明】
【００１８】
【図１】本発明の一実施形態に係る高周波処置具の先端部分を拡大し一部を省略して示す全体構成図である。
【図２】図１の高周波処置具の電極部材を最大限に後退させた状態を示す先端部分の拡大縦断面図である。
【図３】図１の高周波処置具の電極部材を示す斜視図である。
【図４】図１の高周波処置具の電極先端部と支持部材の貫通孔との関係を示す正面図である。
【図５】図１の高周波処置具の変形例を示す先端部分の部分的な縦断面図である。
【図６】図１の高周波処置具の他の変形例を示す先端部分の部分的な縦断面図である。
【図７】図１の高周波処置具の他の変形例を示す先端部分の部分的な縦断面図である。
【図８】図１の高周波処置具の他の変形例を示すストッパ部の斜視図である。
【図９】図８のストッパ部の先端部分の横断面図である。
【図１０】図８の高周波処置具の先端部分の部分的な縦断面図である。
【発明を実施するための形態】
【００１９】
本発明の一実施形態に係る高周波処置具１について、図面を参照して以下に説明する。
本実施形態に係る高周波処置具１は、例えば、内視鏡の挿入部に設けられたチャネルを介して先端が体内に導入される処置具であって、図１に示されるように、チャネル内に挿入可能な細長い円筒状に形成され、可撓性を有するシース２と、該シース２の先端において進退させられる電極部材３と、該電極部材３をシース２の基端側において押し引きする操作部４と、シース２の内孔（流路）２ａを経由してシース２の先端から液体を放出させる送液手段５とを備えている。
【００２０】
シース２の先端には内孔２ａを閉塞するようにプラグ状の先端部材６が固定されている。先端部材６には、図２に示されるように、長手軸方向に貫通し電極部材３を移動可能に貫通させる貫通孔６ａが設けられている。貫通孔６ａは、円形の横断面を有しており、その基端側には、先端側に向かって先細になる円錐内面状のテーパ内面６ｂが設けられている。シース２および先端部材６は電気絶縁性の材料によって構成されている。
【００２１】
電極部材３は導電性材料により構成されている。電極部材３は、貫通孔６ａよりも十分に径寸法の小さい横断面円形の柱状部３ａと、該柱状部３ａの先端に設けられ、径方向外方に放射状に延びる３角形平板状の電極先端部３ｂと、柱状部３ａの基端に設けられ、柱状部３ａより大径の横断面形状を有し、柱状部３ａと同心の円柱状に構成されたストッパ部７とを備えている。ストッパ部７の先端側にはテーパ内面６ｂと相補的な形状のテーパ面７ａを有している。
【００２２】
テーパ面７ａには、径方向内方に窪み、長手軸方向に延びる溝状の凹部９が、周方向に間隔をあけて３カ所に設けられている。各凹部９は、図３に示されるように、３角形の電極先端部３ｂの各辺の中央に対応する周方向位置に設けられている。
【００２３】
電極先端部３ｂは、図４に示されるように、外接円Ａが貫通孔６ａの口径より大きく、内接円Ｂが貫通孔６ａの口径より小さくなる形状を有している。好ましくは、外接円Ａの寸法がφ１．２、貫通孔６ａの寸法がφ０．８である。これにより、電極部材３を先端部材６に対して最大限に基端側に移動させると、電極部材３の大部分がシース２内に収容され、電極先端部３ｂの背面が、先端部材６の先端面６ｃに突き当たってそれ以上の後退を規制するようになっている。このとき、円形の貫通孔６ａは、図４に示されるように、電極先端部３ｂによって完全に閉塞されることなく、電極先端部３ｂの径方向外方にはみ出して、開口１０により部分的に開口するようになっている。
【００２４】
また、図１に示されるように、電極先端部３ｂを先端部材６に対して最大限に先端側に移動させると、電極部材３は先端部材６の先端面６ｃから前方に突出し、ストッパ部７のテーパ面７ａが先端部材６のテーパ内面６ｂに突き当たって、それ以上の前進を規制するようになっている。このとき、テーパ内面６ｂと相補的な形状のテーパ面７ａは面接触によりテーパ内面６ｂに密着し、電極部材３が先端部材６に強固に支持されるようになっている。また、貫通孔６ａに接続するテーパ内面６ｂに、電極部材３の柱状部３ａと同心のテーパ面７ａを密着させることにより、電極部材３が貫通孔６ａに対して中心軸を一致させられる（センタリングされる）ようになっている。
【００２５】
操作部４は、シース２の基端側に取り付けられる指かけ孔４ａを有するハンドル４ｂと、該ハンドル４ｂに対してシース２の長手軸方向に移動可能に設けられた可動部４ｃと、シース２の内孔２ａ内に配置され可動部４ｃと電極部材３とを連結する導電性材料からなるワイヤ４ｄとを備えている。図中符号４ｅは可動部４ｃに設けられた指かけ孔である。
【００２６】
ハンドル４ｂに対して可動部４ｃをシース２の先端側に移動させると押圧力がワイヤ４ｄを介して電極部材３に伝達され、電極部材３が先端部材６に対して前進する方向に移動させられるようになっている。また、ハンドル４ｂに対して可動部４ｃをシース２の基端側に移動させると、牽引力がワイヤ４ｄを介して電極部材３に伝達され、電極部材３が先端部材６の貫通孔６ａに引き込まれる方向に後退させられるようになっている。
ワイヤ４ｄの基端側には図示しない電源が接続されており、ワイヤ４ｄを介して電極部材３に高周波電流を供給することができるようになっている。
【００２７】
ハンドル４ｂには、シース２の内孔２ａに連絡する接続口８が設けられている。
送液手段５は、接続口８に接続されるシリンジあるいはポンプ等であり、送液手段５の作動によって生理食塩水のような液体をシース２の内孔２ａに送り込むようになっている。
【００２８】
このように構成された本実施形態に係る高周波処置具１の作用について、以下に説明する。
本実施形態に係る高周波処置具１を使用して、内視鏡的粘膜下層剥離術を行うには、操作部４を操作して、図４に示されるように、電極部材３を最大限に後退させた状態で、内視鏡の挿入部のチャネルを介してシース２を先端側から体内に導入していき、内視鏡の挿入部の先端からシース２の先端を突出させる。
【００２９】
これにより、シース２の先端部分が内視鏡の視界に入るので、操作者は内視鏡により取得された画像をモニタで確認しながら、処置を行う。電極部材３を最大限に後退させた状態では、電極部材３の電極先端部３ｂのみが先端部材６の先端面６ｃに露出しているので、この状態で電極部材３に高周波電流を印加しても組織が深く切り込まれることはなく、組織表面のみを焼酌するいわゆるマーキングを行うことができる。
【００３０】
すなわち、操作者はモニタに表示された内視鏡画像において切除すべき病変と思われる部位を取り囲む複数箇所に先端部材６の先端面６ｃを押し当てて電極部材３に通電することにより、切除すべき病変部位の周囲を取り囲むマークを形成することができ、その後の処置の目安とすることができる。
【００３１】
この後に、操作部４を操作して、図３に示されるように、電極部材３を先端部材６の先端面６ｃから突出させ、高周波電流を印加することにより、組織を切開して先端部材６を病変部位の下の粘膜下層近傍まで刺し入れる。次いで、操作部４を操作して電極部材３を最大限に後退させた状態とし、送液手段５を作動させて生理食塩水等の液体を先端面６ｃの開口１０から放出させる。これにより、液体が粘膜下層に局注され、病変部位が浮上させられた状態となる。
【００３２】
この状態で、シース２を粘膜下層から抜き出し、再度、操作部４を操作して電極部材３を突出させた状態として、マーキングにより形成されたマークを目安として病変部位の周囲の組織を切開していく。
切開途中で出血があった場合には、送液手段５を作動させて生理食塩水等の液体を先端部材６の先端面６ｃの開口１０から放出させることにより洗浄することができる。
【００３３】
この場合において、シース２に対して電極部材３を最大限に前進させ、電極先端部３ｂを先端部材６の先端面６ｃから突出させると、ストッパ部７のテーパ面７ａが先端部材６のテーパ内面６ｂに密着して、電極部材３が貫通孔６ａに対してセンタリングされた状態に固定される。そして、テーパ面７ａとテーパ内面６ｂとが密着させられた状態でも、テーパ面７ａに設けられた凹部９によって、ストッパ部７を挟んだ前後の空間が連絡した状態に維持される。
【００３４】
この状態で、送液手段５を作動させると、シース２の内孔２ａを介して送られてきた液体が、凹部９によってテーパ面７ａとテーパ内面６ｂとの間に形成された隙間Ｃを経由し、さらに、柱状部３ａと貫通孔６ａとの間の円筒状の隙間Ｃを経由して、先端部材６の前方に放出される。
【００３５】
柱状部３ａと貫通孔６ａとの間の隙間Ｃを流動する流体の流れによって柱状部３ａを振動させる力が作用するが、テーパ面７ａをテーパ内面６ｂに密着させることで、電極部材３が先端部材６に強固に支持されているので、柱状部３ａの振動が小さく抑制され、先端部材６の前方に流体を安定して放出することができる。
【００３６】
すなわち、貫通孔６ａの内径を柱状部３ａの外径に対して十分に大きくしても、テーパ面７ａとテーパ内面６ｂとの密着により柱状部３ａが振動しないように支持されるので、貫通孔６ａと柱状部３ａとの間の流動面積を十分に大きく確保することができ、大流量の流体を円滑に放出することができるという利点がある。これにより、出血をより確実に素早く洗い流すことができる。
また、貫通孔６ａによって柱状部３ａを径方向に振動しないように支持しなくて済むので、貫通孔６ａ自体を柱状部３ａの外径よりも十分に大きな内径の簡易な横断面円形に形成することができ、容易に製造することができるという利点もある。
【００３７】
また、病変部位の周囲の組織を切開する途中で、粘膜下層に局注した液体が他の部位に吸収される等して、病変部位が沈んできた場合には、先端部材６を再度、粘膜下層に押し当てて液体を局注することが行われる。この場合にも、電極部材３を最大限に後退させて液体を吐出させることにより電極部材３が必要以上に組織に刺さらないようにすることができる。
【００３８】
この場合においても、本実施形態に係る高周波処置具１によれば、電極部材３を最大限に後退させて、電極先端部３ｂを先端部材６の先端面６ｃに突き当てても、大きな口径の貫通孔６ａが３角形の電極先端部３ｂの径方向外方にはみ出して開口しているので、その開口１０から液体を放出することができる。特に、テーパ面７ａに設けられた凹部９と、電極先端部３ｂの径方向への突出量が小さい部分（小径部）との位相が一致しているので、凹部９を経由して流動してきた流体を電極先端部３ｂによって完全には遮られることなく前方に放出しやすくすることができる。
【００３９】
なお、本実施形態においては、電極先端部３ｂとして、三角形の平板状のものを採用したが、これに限定されるものではなく、４角形以上の多角形状、星形状あるいは楕円形状のように、径方向に突出する部分と窪む部分とを周方向に交互に配列してなる任意の電極先端部３ｂを採用してもよい。これらの形状の外接円Ａが貫通孔６ａの口径より大きく、内接円Ｂが貫通孔６ａの口径より小さければ、任意の形状を採用してよい。そして、これらの場合に径方向に窪む部分（小径部）に対応する位置に溝状の凹部９を設けることが好ましい。
【００４０】
また、本実施形態においては、ストッパ部７としてテーパ内面６ｂに面接触するテーパ面７ａを有するものを例示したが、これに代えて、テーパ面７ａではなく、図５および図６に示されるように円柱のエッジ７ｂあるいは球面７ｃ等の回転体形状を有し、円環状に線接触するものを採用してもよい。
また、テーパ内面６ｂにテーパ面７ａを密着させた状態でも両者間に流体を流通させる溝状の凹部９をテーパ面７ａ側に設けることとしたが、これに代えて、図７に示されるように、凹部９をテーパ内面６ｂ側に設けることにしてもよい。
【００４１】
また、本実施形態においては、ストッパ部７の凹部９として、溝状のものを採用したが、これに限られるものではなく、図８および図９に示されるように、シース２の長手軸方向に沿ってＤカット部１１と、シース２の長手軸回りにＤカット部１１を挟んで等間隔に設けられた溝１２とからなるものを採用してもよい。符号１３は、ストッパ部７にワイヤ４ｄをロウ付けするために設けられた穴であり、符号１４は、ストッパ部７に柱状部３ａをロウ付けするために設けられた穴である。
【００４２】
この場合には、図１０に示されるように、Ｄカット部１１によってテーパ面７ａとテーパ内面６ａとの間に隙間Ｅが、溝１２によってテーパ面７ａとテーパ内面６ａとの間に隙間Ｆが形成されるようになっている。これにより、溝１２よりも溝幅の大きいＤカット部１１が形成する隙間Ｅは、溝１２が形成する隙間Ｆよりも単位時間当たりの流量が多いため、ストッパ部７の全周を用いて単位時間当たりの総流量を増大させることができる。
【符号の説明】
【００４３】
１  高周波処置具
２  シース
２ａ  内孔（流路）
３  電極部材
３ｂ  電極先端部
５  送液手段
６  先端部材
６ａ  貫通孔
６ｂ  テーパ内面
７  ストッパ部
７ａ  テーパ面
９  凹部
Ｃ  隙間
【図１】
2016203978.tif 000003
【図２】
2016203978.tif 000004
【図３】
2016203978.tif 000005
【図４】
2016203978.tif 000006
【図５】
2016203978.tif 000007
【図６】
2016203978.tif 000008
【図７】
2016203978.tif 000009
【図８】
2016203978.tif 000010
【図９】
2016203978.tif 000011
【図１０】
2016203978.tif 000012
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
体内に挿入される細長い筒状のシースと、
該シース内に長手軸方向に進退可能に配置され、高周波電流が供給される直棒状の電極部材と、
前記シースの先端に配置され、前記電極部材を貫通させる貫通孔を有する先端部材と、
前記シースの基端側に接続され、該シースに形成された流路および該流路に連絡する前記貫通孔と前記電極部材との隙間を介して前記シースの長手軸方向前方に液体を放出させる送液手段とを備え、
前記電極部材が、棒状の柱状部と、該柱状部の先端に設けられ径方向外方に放射状に延びる電極先端部と、前記先端部材よりも前記柱状部の基端側に配置され前記電極部材の中心軸を中心とする略回転体形状のストッパ部とを備え、
前記先端部材は、前記電極部材が最大限に前記先端部材の先端よりも前方に移動させられたときに、前記ストッパ部を前記長手軸方向に突き当てる、先端に向かって先細になるテーパ内面を備え、
前記ストッパ部には、前記テーパ内面と前記ストッパ部とが相互に突き当たった状態で、前記液体を流通させることができる流路を構成する凹部が設けられ、
前記電極先端部が周方向の少なくとも一部に前記電極先端部の径方向に窪む小径部を備え、
前記電極部材が、前記中心軸周りに回転しても、前記液体が前記小径部を経由して真っ直ぐ前方に放出されるように、前記流路と前記小径部の周方向位置が一致するように構成される高周波処置具。
【請求項２】
前記ストッパ部が、前記テーパ内面と面接触させられるテーパ面を備える請求項１に記載の高周波処置具。
【請求項３】
前記貫通孔の先端開口の前記長手軸方向の投影形状が円形であり、前記電極先端部の前記長手軸方向の投影形状が前記先端開口の口径より大きな外接円と前記口径より小さな内接円とを有する非円形である請求項１に記載の高周波処置具。
【請求項４】
前記ストッパ部に前記凹部が形成されている請求項１に記載の高周波処置具。
【請求項５】
前記小径部が、周方向に等間隔をあけて複数設けられ、
前記凹部が、各前記小径部に対応する位置に設けられている請求項１に記載の高周波処置具。
【国際調査報告】
2016203978.tif 000013
2016203978.tif 000014
2016203978.tif 000015
2016203978.tif 000016